(57)【要約】      （修正有）【課題】携帯型情報端末の保護又は装飾に使用されるケースを提供する。【解決手段】背板部２と、周側部４とを備え、前記背板部２には、背板部２を貫通して形成された背板小孔７が複数配列して設けられ、前記周側部４には、前記背板小孔７と同一形状に形成された周側小孔８が形成されてなる携帯型情報端末用ケースであって、前記背板小孔７及び周側小孔８には挿込棒体を備えた装飾体２５を着脱自在に取り付けることで使用者が自由に携帯型情報端末用ケースを装飾することができる。【選択図】図８
0003180750.tif 000002
【実用新案登録請求の範囲】
【請求項１】
携帯型情報端末の背面側に装着する携帯型情報端末用ケースであって、
該携帯型情報端末用ケースは、柔軟な樹脂素材からなると共に、
携帯型情報端末の背面に当接する背板部と、
前記背板部の周縁から背板部に対して携帯型情報端末を囲む方向に略垂直に形成された周側部と、
前記周側部の前端部から内向きに屈曲して形成された係止部と、
前記周側部によって囲まれてなる携帯型情報端末装着用の開口部とを備え、
前記背板部に、背板部を貫通して形成された装飾体取付用の背板小孔が複数配列して設けられると共に、前記周側部に、前記背板部の小孔と同一形状に形成された装飾体取付用の周側小孔が形成されてなること
を特徴とする携帯型情報端末用ケース。
【考案の詳細な説明】
【技術分野】
【０００１】
本考案は、携帯型情報端末の保護又は装飾に使用されるケースに関する。
【背景技術】
【０００２】
従来、プラスチック製品や皮製品により携帯型情報端末を保護又は装飾、若しくは携行するために装着するケースが利用されている。
【先行技術文献】
【特許文献】
【０００３】
【特許文献１】特開２０１２−１７００３８
【考案の概要】
【考案が解決しようとする課題】
【０００４】
しかし、従来技術はケースそのものに装飾的形状、若しくは模様が付与されており、使用者は一端購入したケースの装飾に飽きたとしてもケースそのものを買い換えることは少なからず出費が必要であった。また買い換え後のケースの装飾についてもまた飽きればさらに買い替えを余儀なくされ、古いケースは使い古されたものでもあることから再び使用されることは少なく、保管に困ると捨てざるを得なくなるという問題があった。
【課題を解決するための手段】
【０００５】
そこで、上記課題を解決するための手段として本願実用新案に係る携帯型情報端末用ケースは、携帯型情報端末の背面側に装着する携帯型情報端末用ケースであって、該携帯型情報端末用ケースは、柔軟な樹脂素材からなると共に、携帯型情報端末の背面に当接する背板部と、前記背板部の周縁から背板部に対して携帯型情報端末を囲む方向に略垂直に形成された周側部と、前記周側部の前端部から内向きに屈曲して形成された係止部と、前記周側部によって囲まれてなる携帯型情報端末装着用の開口部とを備え、前記背板部に、背板部を貫通して形成された装飾体取付用の背板小孔が複数配列して設けられると共に、前記周側部に、前記背板部の小孔と同一形状に形成された装飾体取付用の周側小孔が形成されてなることを特徴とする。
【０００６】
携帯型情報端末用ケースは柔軟な樹脂素材によって形成されており、シリコン若しくはポリウレタン等の合成樹脂によって形成されることが好ましい。このような柔軟な樹脂素材によって形成されることによって、開口部を押し広げて携帯型情報端末をケースに容易に装着させることができる。
【０００７】
携帯型情報端末用ケースを装着した携帯型情報端末は、前記背板及び周側部が携帯型情報端末の背面及び周側面に当接することによって、携帯型情報端末用ケースの内部においてずれ動くことがない。また、周側部の前端部から内向きに屈曲して形成されることによって装着された携帯型情報端末の正面（メインディスプレイを備えた面）の外周縁部を保持可能な係止部として形成されている。このため、携帯型情報端末用ケースに装着された携帯型情報端末は前記係止部に保持されることによって開口部から抜け落ちることがない。
【０００８】
携帯型情報端末用ケースは、装着する携帯型情報端末に合わせて種々の大きさに成形することが可能である。装着可能な携帯型情報端末としては、携帯電話機、若しくはフラットパネルを装備したタブレット型情報端末機等が挙げられる。
【０００９】
前記背板小孔には、挿込棒体部を備えた装飾体が着脱可能に取付け可能であり、装飾体の着脱は挿込棒体を背板小孔に抜き差しするのみであるので容易に行なうことができる。装飾体の取り付けの際にも、携帯型情報端末用ケースが柔軟な樹脂素材によって形成されているため、背板小孔及び周側小孔を押し広げながら挿込棒体を挿し込むことにとって容易に取り付けが可能となる。
【００１０】
また、背板小孔は背板部に複数配列して設けられていることから、使用者はその日の気分によって装飾体を取り付ける位置を変えたり、また、異なる装飾体に取り変えることができる。このように背板小孔を備えた本願考案に係る携帯型情報端末用ケースを用いれば、携帯型情報端末にバリエーションに富んだ装飾を容易に付加させることができ、使用者は装飾体を付け替えるだけで携帯型情報端末用ケース自体は取り替えることなく好きな装飾を楽しむことができる。
【００１１】
また、使用者は複数の背板小孔に複数の装飾体をそれぞれ取り付けることも可能であるため、携帯型情報端末の背面を装飾体の配列によって表現される模様で装飾することも可能である。
【００１２】
さらにまた、本願考案に係る携帯型情報端末用ケースは、上記背板小孔に加えて、前記周側部にも前記背板小孔と同一形状に形成された周側小孔が形成されてなることを特徴とする。
【００１３】
周側小孔は、背板小孔と同一形状に形成されているため、使用者は背板小孔に取り付けていた装飾体を周側小孔にも取り付けることができる。また、例えば周側小孔に携帯型情報端末の周側面に対して垂直方向に突出した構造を有する装飾体を取り付ければ、遠くから見てもよくわかる個性的な装飾を備えた携帯型情報端末とすることができる。
【００１４】
背板小孔と共に周側小孔にも合わせて装飾体を取り付けることによって装飾のバリエーションを広げることができ、使用者は他人とは全く異なる独自の装飾を施した携帯型情報端末用カバーとすることができる。
【考案の効果】
【００１５】
本願考案に係る携帯型情報端末用ケースによれば、背板小孔に装飾体を自在に取り付けて装飾を施すことによってケース自体を買い換えることなく多様な装飾を楽しむことができる。
【００１６】
また、背板小孔及び周側小孔に装飾体を取り付けることによって、携帯型情報端末用ケースの背面及び周側面とを合わせて装飾を施すことができるため、背面のみを用いる場合に比べて装飾のバリエーションを大きく広げることができる。
【図面の簡単な説明】
【００１７】
【図１】背板部２の背面３を上方に向け、周側部４の上面５を手前方向に向けた状態の携帯型情報端末用カバー１の斜視図、及び同様に背面を上方に向けた状態の携帯型情報端末Ｐの斜視図を示すである。
【図２】携帯型情報端末用カバー１の正面図である。
【図３】携帯型情報端末用カバー１のＡ−Ａ断面図である。
【図４】携帯型情報端末用カバー１の背面図である。
【図５】携帯型情報端末用カバー１の平面図である。
【図６】携帯型情報端末用カバー１の底面図である。
【図７】携帯型情報端末用カバー１の左側面図である。
【図８】装飾体２５を取り付けた状態の携帯型情報端末用カバー１の斜視図である。
【図９】装飾体２５を取り付けた状態の携帯型情報端末用カバー１のＢ−Ｂ拡大断面図である。
【図１０】装飾体２５を取り付けた状態の携帯型情報端末用カバー１を周側部の幅中央に沿って縦に切断し、正面から見た図である。
【考案を実施するための形態】
【００１８】
以下、本願考案に係る実施の形態を、図を参照しながら詳しく説明する。
【００１９】
図１には、本願考案に係る携帯型情報端末用カバー１の背板部２の背面３を上方に向け、周側部４の上面５を手前方向に向けた状態の斜視図を示している。
【００２０】
本願考案に係る携帯型情報端末用カバー１は、図１に示すように携帯型情報端末Ｐの背側面Ｂｐから被せて、背板部２及び周側部４によって携帯型情報端末Ｐの背側面Ｂｐ及び周側面Ｓｐを外部からの衝撃や汚れの付着から保護する目的で用いられるものである。
【００２１】
背面３及び上面５には携帯型情報端末用カバー１を貫通してなる複数の小孔６が複数配列して形成されている。本実施形態において、背面３に形成された小孔６は格子状に二次元的に配列され、これを背板小孔７と呼び、一方、上面５に形成された小孔６は一列に配列され、これを周側小孔８と呼ぶこととする。背板小孔７及び周側小孔８はいずれも同一径を有する円筒形の貫通穴として形成されている。
【００２２】
携帯型情報端末用カバー１の正面には図２に示すように携帯型情報端末Ｐ全体を嵌め込むために装着用の開口部９が形成されている。開口部９は、図３のＡ−Ａ断面図に示すように周側部４の前端部から内向きに屈曲して係止部１０が形成されてなることにより、携帯型情報端末Ｐの外周形状よりも僅かに小さく形成されており、携帯型情報端末Ｐの装着時においては、前記係止部が携帯型情報端末Ｐの外周縁部を保持することで携帯型情報端末Ｐが前記開口部９から抜け落ちることがない。また、係止部１０は携帯型情報端末Ｐの装着時には携帯型情報端末Ｐのディスプレイ面よりも僅かに冒出して装着されるため、誤って携帯型情報端末Ｐを落下させた時においてもディスプレイ面が損傷することを防止することができる。
【００２３】
図４に示されている背板部２の背面方向から見て左上部に設けられた長円状の穴は携帯型情報端末Ｐに付属するカメラレンズＣｐを露出させるために設けられたカメラ穴１１である。
【００２４】
一方、携帯型情報端末用カバー１を付けたままでも携帯情報型端末Ｐの操作を可能とするために、周側部２の上面５には電源スイッチＴｐを押下できる電源スイッチ操作用押下げ板１２が設けられている（図５）。
【００２５】
また底面１３には、図６に示すように中央に下向きＣ字形を呈する細穴１４が形成され、この細穴１４の内側が端子覆い蓋１５を構成し、前記Ｃ字形細穴１４の左右にはスピーカー穴１６、１７が形成されている。なお、左側のスピーカー穴１６は右側のスピーカー穴１７よりも左方に長く形成されており、イヤホンプラグ挿し込み穴１８をも兼用可能に形成されている。また、イヤホンプラグ挿し込み穴１８の左縁部には、図６及び図１０に示すように先端円形の右向き押上げ舌片１９が連接されており、当該押し上げ舌片１９の先端円形部２０が携帯型情報端末Ｐの底側面に設けられているイヤホンプラグ挿し込み口の前方に位置することで、前記押上げ舌片１９は前記イヤホンプラグ挿し込み口への埃等の侵入を抑制するように形状とされている。
【００２６】
左側面２１の上部には図７に示すように誤動作防止スイッチ操作穴２２が設けられ、前記誤動作防止スイッチ操作穴２２の下方には音量操作部２３が形成されている。
【００２７】
図８には、背板小孔７及び周側小孔８に装飾体２５を取り付け、背板部２の背面３を上方に向け、周側部４の上面５を手前方向に向けた状態の斜視図を示している。
【００２８】
使用者は、自らの感性に基づいて自由に装飾体２５を背板小孔７及び周側小孔８に取り付けて携帯型情報端末用カバー１を装飾することができる。なお、周側小孔８は、上面５以外の底面１３、左側面２１、若しくは右側面２４のいずれに設けても好ましい。
【００２９】
装飾体２５は、取り付け時に背板部２や周側部４の外表面上に露出して外部から視認できる装飾部２６と、装飾体２５を固定するために小孔６に挿入可能な径に形成されている挿込棒体２７とからなり、挿込棒体２７の下端は小孔６の内径よりも若干大きく拡径された係止端２８が形成されている。
【００３０】
装飾体２５を小孔６に取り付ける際には、前記係止端２８を小孔６に押し当てながら小孔６を押し広げ、係止端２８が携帯型情報端末用カバー１の内面側に突き抜けるまで押し込む。これにより、図９及び図１０に示すように、挿込棒体２７を介して装飾部２５と係止端２８とが背板部２や周側部４を内外両面から挟持し、装飾体２５が抜け落ちないように固定することができる。
【００３１】
ここで、背板小孔７は格子状に配列されていることから、装飾体２５を二次元的に複数配置させることで、背面全体において模様を形成することができる。
【００３２】
一方、周側小孔８は、本実施例においては周側部４の奥行が狭いため一列に配列されているが、形成された場所が周側部４の上面５であることから、装飾体２５が上面５から突出した立体形状に形成されたものを取り付けても携帯型情報端末Ｐの持ち易さを阻害することがない。
【００３３】
従って使用者は、周側小孔８に取り付ける装飾体２５は背板小孔７に取り付ける装飾体２５とは異なる装飾方法を採用することができる。その結果、背板小孔７及び周側小孔８を合わせ用いることで装飾体２５が携帯型情報端末用カバー１を装飾する装飾方法のバリエーションを、携帯型情報端末用カバーの背面若しくは周側面のいずれかのみを用いて装飾されている場合に比べて大きく広げることができる。
【００３４】
また、装飾体２５は小孔６と着脱自在に取り付けられているため、一旦作成した装飾に飽きた場合であっても、使用者は容易に新たな装飾体２５を取り付けることによって、携帯型情報端末用カバー１そのものを取り替えることなく新しい装飾を繰り返し実現することができる。
【符号の説明】
【００３５】
１    携帯型情報端末用カバー
２    背板部
３    背面
４    周側部
５    上面
７    背板小孔
８    周側小孔
２５  装飾体
２６  装飾部
２７  挿込棒体
２８  係止端
【図１】
0003180750.tif 000003
【図２】
0003180750.tif 000004
【図３】
0003180750.tif 000005
【図４】
0003180750.tif 000006
【図５】
0003180750.tif 000007
【図６】
0003180750.tif 000008
【図７】
0003180750.tif 000009
【図８】
0003180750.tif 000010
【図９】
0003180750.tif 000011
【図１０】
0003180750.tif 000012